【事件の表示】
　特願２００４−３２０９６２「文書サーバ」拒絶査定不服審判事件〔平成１７年　４月２１日出願公開、特開２００５−１０８２５４〕について、次のとおり審決する。
【結　論】
　本件審判の請求は、成り立たない。
【理　由】
第１．手続の経緯
　この出願は、平成８年４月２６日に出願した特願平８−１０８０１７号（優先権主張１９９５年４月２８日、米国）の一部を平成１６年１１月４日に新たな特許出願としたものであって、平成１７年６月１６日付けで拒絶理由が通知され、これに対して同年１０月１７日に手続補正がなされたが、同年１２月８日に拒絶査定がなされ、この後、平成１８年１月１２日に拒絶査定不服審判が請求され、同年２月１３日に手続補正がなされたものである。
　
第２．平成１８年２月１３日付け手続補正についての補正の却下の決定
[補正却下の決定の結論]
　平成１８年２月１３日付けの手続補正（以下、「本件補正」という。）を却下する。
　
[理由]
１．補正の概要
　本件補正は、原査定時の特許請求の範囲が、
「【請求項１】
文書サーバにおけるアイコン生成方法において、
　前記文書サーバにデジタル表現の文書を入力する工程と、
　前記入力された文書の所定のページを例示ページとして保持する工程と、
　前記例示ページを領域に分割し、かつ前記例示ページのレイアウトを形成する工程と、
　前記分割された各々の領域を所定の縮小規則に基づいて縮小する工程と、
　前記縮小された各々の領域を前記レイアウトに基づいて再組み立てして、前記例示ページのアイコンを生成する工程と、を備えていることを特徴とするアイコン生成方法。
【請求項２】
前記分割された各々の領域を縮小する工程は、前記各領域を当該各領域の画像形式に応じた縮小規則に従って縮小すること、を特徴とする請求項１に記載のアイコン生成方法。
【請求項３】
前記分割された各々の領域を縮小する工程は、前記領域が文字領域であるときは各々の文字をブロック文字又はブロックに置き換えること、を特徴とする請求項１または２に記載のアイコン生成方法。
【請求項４】
前記分割された各々の領域を縮小する工程は、前記領域が文字領域であるときは単語を線に換えること、を特徴とする請求項１または２に記載のアイコン生成方法。
【請求項５】
前記分割された各々の領域を縮小する手段は、前記領域が文字領域であるときは大きいフォントの文字と小さいフォントの文字とで異なる処理を行なうこと、を特徴とする請求項１〜４のいずれかの一に記載のアイコン生成方法。
【請求項６】
前記例示ページは、前記文書の１ページ目を縮小処理すること、を特徴とする請求項１〜５のいずれかの一に記載のアイコン生成方法。
【請求項７】
デジタル表現の文書を入力する手段と、
　前記入力された文書の所定のページを例示ページとして保持する手段と、
　前記例示ページを領域に分割し、かつ前記例示ページのレイアウトを形成する手段と、
　前記分割された各々の領域を所定の縮小規則に基づいて縮小する手段と、
　前記縮小された各々の領域を前記レイアウトに基づいて再組み立てして、前記例示ページのアイコンを生成する手段と、を備えることを特徴とする文書サーバ。
【請求項８】
前記分割された各々の領域を縮小する手段は、前記各領域を当該各領域の画像形式に応じた縮小規則に従って縮小すること、を特徴とする請求項７に記載の文書サーバ。
【請求項９】
前記分割された各々の領域を縮小する手段は、前記領域が文字領域であるときは各々の文字をブロック文字又はブロックに置き換えること、を特徴とする請求項７または８に記載の文書サーバ。
【請求項１０】
前記分割された各々の領域を縮小する手段は、前記領域が文字領域であるときは単語を線に換えること、を特徴とする請求項７または８に記載の文書サーバ。
【請求項１１】
前記分割された各々の領域を縮小する手段は、前記領域が文字領域であるときは大きいフォントの文字と小さいフォントの文字とで異なる処理を行なうこと、を特徴とする請求項７〜１０のいずれかの一に記載の文書サーバ。
【請求項１２】
前記例示ページは、前記文書の１ページ目を縮小処理すること、を特徴とする請求項７〜１１のいずれかの一に記載の文書サーバ。
【請求項１３】
前記文書を文書データベースに格納する手段と、
　前記文書データベースに格納した文書を分析して、前記文書を識別するための特徴を前記例示ページから抽出する手段と、
　前記文書と前記抽出した特徴とを関連させて格納するインデックス手段と、をさらに備えることを特徴とする請求項７〜１２のいずれかの一に記載の文書サーバ。
【請求項１４】
前記アイコンが所定数の文書につき生成された場合に、前記生成された複数のアイコンを表示する案内ページを印刷する手段を、さらに備えることを特徴とする請求項１３に記載の文書サーバ。
【請求項１５】
前記印刷された案内ページ上の所定のアイコンに選択指示されると、前記選択指示されたアイコンを分析して文書を検索する手段を、さらに備えることを特徴とする請求項１４に記載の文書サーバ。
【請求項１６】
前記文書を検索する手段は、
　前記選択指示されたアイコンを操作して前記アイコンの電子的表現を取得する手段と、
　前記アイコンの電子的表現から前記アイコンの特徴を抽出する手段と、
　前記抽出した特徴を問い合わせに変換し、前記問い合わせを用いて前記インデックス手段から少なくとも１つの適合文書を取得する手段と、を備えることを特徴とする請求項１５に記載の文書サーバ。」
　
であったものを、
　
「【請求項１】
　デジタル表現の文書の入力を受け付ける手段と、
　前記入力を受け付けた文書を文書データベースに格納する手段と、
　前記文書データベースに格納された文書の所定のページを例示ページとして保持する手段と、
　前記文書データベースに格納された文書を分析して、前記文書を識別する特徴となるキーワードを前記文書から抽出する手段と、
　前記文書から抽出したキーワードを前記文書に関連付けて格納するインデックス手段と、
　前記例示ページを領域に分割し、かつ前記例示ページのレイアウトを形成する手段と、
　前記分割された各々の領域を所定の縮小規則に基づいて縮小する手段と、
　前記縮小された各々の領域を前記レイアウトに基づいて再組み立てして、前記キーワードを含む例示ページのアイコンを生成する手段と、を備えることを特徴とする文書サーバ。
【請求項２】
　前記アイコンが所定数の文書につき生成された場合に、前記生成された複数のアイコンを表示する案内ページを印刷する手段を、さらに備えることを特徴とする請求項１に記載の文書サーバ。
【請求項３】
　前記印刷された案内ページ上の所定のアイコンに選択指示されると、前記選択指示されたアイコンを分析して文書を検索する手段を、さらに備えることを特徴とする請求項２に記載の文書サーバ。
【請求項４】
　前記文書を検索する手段は、
　前記選択指示されたアイコンを操作して前記アイコンの電子的表現を取得する手段と、
　前記アイコンの電子的表現から前記アイコンのキーワードを抽出する手段と、
　前記抽出したキーワードを問い合わせに変換し、前記問い合わせを用いて前記インデックス手段から少なくとも１つの適合文書を取得する手段と、を備えることを特徴とする請求項３に記載の文書サーバ。
【請求項５】
　前記分割された各々の領域を縮小する手段は、前記各領域を当該各領域の画像形式に応じた縮小規則に従って縮小すること、を特徴とする請求項１乃至４のいずれか一に記載の文書サーバ。
【請求項６】
　前記分割された各々の領域を縮小する手段は、前記領域が文字領域であるときは各々の文字をブロック文字又はブロックに置き換えること、を特徴とする請求項１乃至５のいずれか一に記載の文書サーバ。
【請求項７】
　前記分割された各々の領域を縮小する手段は、前記領域が文字領域であるときは単語を線に換えること、を特徴とする請求項１乃至５のいずれか一に記載の文書サーバ。
【請求項８】
　前記分割された各々の領域を縮小する手段は、前記領域が文字領域であるときは大きいフォントの文字と小さいフォントの文字とで異なる処理を行なうこと、を特徴とする請求項１乃至７のいずれか一に記載の文書サーバ。
【請求項９】
　前記例示ページは、前記文書の１ページ目を縮小処理すること、を特徴とする請求項１乃至８のいずれかの一に記載の文書サーバ。」
　
とするものであり、原査定時（以下、「補正前」という。）の請求項１３に「前記文書データベースに格納した文書を分析して、前記文書を識別するための特徴を前記例示ページから抽出する手段」とあったものを、本件補正によって補正された（以下、「補正後」という。）請求項１の「前記文書データベースに格納された文書を分析して、前記文書を識別する特徴となるキーワードを前記文書から抽出する手段」とし、また、補正前の請求項７に「前記縮小された各々の領域を前記レイアウトに基づいて再組み立てして、前記例示ページのアイコンを生成する手段」とあったものを、補正後の請求項１の「前記縮小された各々の領域を前記レイアウトに基づいて再組み立てして、前記キーワードを含む例示ページのアイコンを生成する手段」とする補正を含むものである。
　
２．補正の適否
　この補正は、下記の点でこの出願の願書に最初に添付された特許請求の範囲、明細書、及び、図面（以下、「当初明細書等」という。）に記載された事項の範囲内でなされたものではないので、特許法第１７条の２第３項の規定する要件を満たしていない。
　
　すなわち、補正後の請求項１には、「前記文書データベースに格納された文書を分析して、前記文書を識別する特徴となるキーワードを前記文書から抽出する手段」、「前記縮小された各々の領域を前記レイアウトに基づいて再組み立てして、前記キーワードを含む例示ページのアイコンを生成する手段」が追加されたが、該構成で生成される「例示ページのアイコン」には「キーワード」が含まれるものであり、該「キーワード」は、「前記文書データベースに格納された文書を分析して、前記文書を識別する特徴となるキーワードを前記文書から抽出する手段」によって、抽出されるものと解される。
　しかし、「文書データベースに格納された文書を分析して、前記文書を識別する特徴となるキーワードを前記文書から抽出する手段によって抽出されたキーワードを含む例示ページのアイコン」を生成する構成は、以下のとおり、当初明細書等には記載も示唆もない。
　
（１）当初明細書等における記載について
（ア）「キーワード」に関し、当初明細書等には、関連する記載として、以下のものがある。
「【００１７】
　Ｃ．本発明に関する文書サーバは、文書データベースと、入力文書を、前記文書データベース内に格納するのに好適な文書の電子的表現に変換する、文書入力のための入力手段と、この入力手段に接続され、前記入力文書にアイコンを生成し、前記アイコンは前記入力文書の例示ページの視認可能な縮小表現とするページプロセッサと、前記入力手段に接続され、前記文書の電子的表現を分析して前記入力文書に関連したキーワードを形成するために前記入力文書を識別するための特徴を抽出するキーワードジェネレータと．．．」
「【００３２】
　文書格納ユニット３２はアイコン４２等のアイコンを生成するページプロセッサ４０と、キージェネレータ４４と、任意のアイコンシリアライザ４６を含む。ページプロセッサ４０は文書サーバ１０へ入力された文書１２から取出した例示ページ（example　page）を処理してアイコン４２を作成する。この処理についてはさらに詳しく後述する。キージェネレータ４４は入力文書１２から情報を抽出して格納した後で文書１２を検索するのに使用するキーワードを生成する。場合によって、キージェネレータ４４は文書１２が構造化文書であればこれの文字列を走査する（又は、第１に文字認識を行なう）が、ハルが教示したような記述子に基づくキーワードも生成する。」
「【００３６】
　検索エンジン５４は抽出した特徴を用いて目的文書２０を検索するためのキーワードを生成する。ハルはハッシングした文書の冗長記述子の格納を教示しているが、この場合、これはキーワードの役割を果す。アイコン識別子がアイコン内容の代わりに使用されるのであれば、識別子がキーワードとして用いられる。キーワードは文書インデックステーブル３８でインデックスを取り、文書適合候補に対応する１つ又はそれ以上の適合のリストを取出す。アイコン識別子を用いる場合、文書適合候補は普通は１つだけだが、ある文書の複数の版に対して１つのアイコンを選択できるようなシステムでは１つ以上の文書適合候補が存在し得る。」
「【００５０】
　図６は本発明による文書データベース内に文書を格納する処理の流れ図である。ユーザが文書サーバに文書を提示した時点で処理が開始する。ステップＳ１において、文書がまだ電子的な形状になければ走査する。ステップＳ２では、文書が文書データベース内に格納され、キーワードを使用するなら文書からこれを抽出する。前述のように、キーワードとして用いる冗長な特徴を抽出する１つの方法はハルが教示している。次に、例示ページを文書から選択してアイコンの生成に使用する（Ｓ３）。例示ページの選択が自動的に行なわれる場合、文書サーバは必ず文書の第１ページを選択し、まれにみられる特徴、例えば、殆どが文字からなる文書のデータベース内のグラフ等を特定するか又は全てのページが選択されるように文書のページを調べる。これ以外にも、記憶できる例示ページの選択をユーザが行なっても良い。」
　
　段落００３６の記載によれば、「検索エンジン５４」が、「目的文書２０を検索するためのキーワード」を生成することが記載されている。同段落の「ハルはハッシングした文書の冗長記述子の格納を教示しているが、この場合、これはキーワードの役割を果す。」、「アイコン識別子がアイコン内容の代わりに使用されるのであれば、識別子がキーワードとして用いられる。」との記載に用いられている「キーワード」という語は、「目的文書２０を検索するためのキーワード」であると解されるから、段落００３６には、「目的文書２０を検索するためのキーワード」として、「ハッシングした文書の冗長記述子」及び「識別子」の２つが記載されているものと認められる。
　
　段落００３６に記載された「キーワード」のうち、「ハッシングした文書の冗長記述子」は、段落００３２における「ハルが教示したような記述子に基づくキーワード」、段落００５０における、「前述のように、キーワードとして用いる冗長な特徴を抽出する１つの方法はハルが教示している。」との記載における「キーワード」と同じものを指していると考えられる。
　また、段落００１７における「キーワードジェネレータ」と、段落００３２における「キージェネレータ４４」は、同じものを指していると考えれる。
　これらのことから、「キーワード」のうち、「ハッシングした文書の冗長記述子」（以下、「冗長記述子」という。）は、「キージェネレータ４４」（または「キーワードジェネレータ」。以下「キージェネレータ４４」という。）が、文書の電子的表現を分析して、文書から抽出するものであると解される。
　
　次に、段落００３６に記載された「キーワード」のうち、「アイコン識別子」がアイコン内容の代わりに使用される場合の「識別子」について、関連すると考えられる当初明細書等における記載は、以下のものがある。
　
「【００１８】
．．．また、アイコンにアイコン識別子を付与し、前記アイコン分析手段はアイコン識別子を用いた場合にアイコン識別子を抽出するように設定されるアイコンシリアライザをさらに含んでいてもよい（Ｃ−２）。」（段落００１８）
「【００２４】
　これ以外に、各々のアイコンに識別ラベル、例えば、独自の英数字符号又は機械で読取可能なバーコードを割当て、目的文書の参照のためにこれをユーザが文書サーバに提供するようにしてもよい。文書サーバは文書取出しのためにアイコン画像の内容を使用する必要はないものの、アイコンの内容は目的文書への小型の視覚的キューを提供する上でユーザに有用である。案内ページで、ユーザは多くのアイコンを迅速に調べることができる。ページ縮小処理により文書の例の識別する特徴がアイコン化処理の間保持され、アイコンを小さくできる上ユーザが識別する特徴を識別できる。独自の識別子を有する各々のアイコンの代わりに、アイコンがある案内ページの独自の識別子で、また、案内ページのアイコンの位置（例えば、行と列）で指定することもできる。」
「【００３２】
　文書格納ユニット３２はアイコン４２等のアイコンを生成するページプロセッサ４０と、キージェネレータ４４と、任意のアイコンシリアライザ４６を含む。」
「【００３３】
　アイコン識別子を使用する場合、アイコン識別子はアイコンシリアライザ４６が生成してアイコン４２に添付し、これがアイコン３４として文書要求者が利用できる形状で出力される。アイコンシリアライザ４６はシーケンス内の変化を考慮するのに必要とされるように初期化することができる。シーケンス変化の１つの使用法は、各々のユーザがそのユーザの文書の案内ページを保持し、そのユーザのアイコンの一連番号を所望することができる点である。この場合、案内ページは走査ジョブの第１ページとして提供され、ページプロセッサ４０又はキージェネレータ４４のどちらかがこれを案内ページとして認識し、既存のアイコンの一連番号を抽出してこの情報をアイコンシリアライザ４６へ渡し、次のアイコンに順番に一連番号を割当てられるようにする。当然のことながら、案内ページ全体をアイコンシリアライザ４６へ提供してアイコン４２が案内ページに追加され、アイコン４２とその案内ページのそれまでの全てのアイコンを含む新しい案内ページをユーザに印刷することができる。」
「【００５１】
　例示ページを選択したら、例示ページを断片化して例示ページのマップ又はレイアウトを形成する（Ｓ４）。これらの断片の各々を領域の画像形式に特定の縮小処理に従って縮小し（Ｓ５）、縮小した領域を再組み立てしてアイコンの電子的表現とする（Ｓ６）。アイコンＩＤを用いるなら電子的表現に付与する（Ｓ７）。電子化したアイコンをアイコン用案内ページに関連する他の電子化アイコンに追加し（Ｓ８）、アイコンのある案内ページを必要に応じて印刷する（Ｓ９）。案内ページは典型的には各々のアイコン作成後に印刷しないが、文書エントリー処理が完了した又は案内ページが一杯になった時点で印刷する。」
　
　段落００１８，００２４，００３３における「アイコン識別子」、「識別子」、段落００５１における「アイコンＩＤ」は同じものを指していると考えられる（以下、「アイコン識別子」という。）。また、段落００１８における「アイコンシリアライザ」及び段落００３２，００３３における「アイコンシリアライザ４６」は同じものを指していると考えられる（以下、「アイコンシリアライザ」という。）。
　段落００１８，００２４，００３３，００５１の記載から、「アイコン識別子」は、「アイコンシリアライザ」が生成してアイコン４２に添付し、アイコン３４として文書要求者が利用できる形状で出力されること、「アイコン識別子」が一連番号であることが把握される。
　そして、これらの記載からは、「アイコン識別子」は、「アイコンシリアライザ」が「既存のアイコンの一連番号」から順番に割り当てる「一連番号」であるものの、文書を分析して文書から抽出されるものではないことは明らかである。
　
　してみれば、当初明細書等に記載された「キーワード」には、キージェネレータ４４が文書から抽出する（「ハル」が教示する）「冗長記述子」と、アイコンシリアライザが生成する一連番号である「アイコン識別子」の二種類があるといえる。
　
（イ）生成される「アイコン」に関し、当初明細書等には、関連する記載として、以下のものがある。
「【００３２】
　文書格納ユニット３２はアイコン４２等のアイコンを生成するページプロセッサ４０と、キージェネレータ４４と、任意のアイコンシリアライザ４６を含む。ページプロセッサ４０は文書サーバ１０へ入力された文書１２から取出した例示ページ（example　page）を処理してアイコン４２を作成する。」
「【００３３】
　アイコン識別子を使用する場合、アイコン識別子はアイコンシリアライザ４６が生成してアイコン４２に添付し、これがアイコン３４として文書要求者が利用できる形状で出力される。」
「【００４０】
　各々の領域が縮小されたら、これらをページ再組立器１１４で組み立ててアイコン１０２を形成する。」
　上記段落００３２、００３３の記載において、「アイコン４２」と「アイコン３４」は、共に「アイコン」と呼ばれている。
　段落００４０における「アイコン１０２」は、ページプロセッサ４０の説明であり、段落００３２，００３３における「アイコン４２」と同じものであると解される。
　したがって、当初明細書等に記載された「アイコン」には、「ページプロセッサ４０」が例示ページを処理して作成した「アイコン４２」、と、アイコンシリアライザ４６がアイコン識別子を生成してアイコン４２に添付した「アイコン３４」が、あるといえる。
　
（ウ）「例示ページのアイコンを生成する手段」に関し、当初明細書等には、関連する記載として、以下のものがある。
「【００３２】
　文書格納ユニット３２はアイコン４２等のアイコンを生成するページプロセッサ４０と、キージェネレータ４４と、任意のアイコンシリアライザ４６を含む。ページプロセッサ４０は文書サーバ１０へ入力された文書１２から取出した例示ページ（example　page）を処理してアイコン４２を作成する。」
「【００３３】
　アイコン識別子を使用する場合、アイコン識別子はアイコンシリアライザ４６が生成してアイコン４２に添付し、これがアイコン３４として文書要求者が利用できる形状で出力される。」
「【００３８】
　図２はページプロセッサ４０をさらに詳細に示す。ページプロセッサ４０は入力としてページ１００のデジタル表現を受け入れて、ページ１００のアイコン表現としてアイコン１０２を出力する。図面において、ページ１００は文字領域１０４とグラフィックス領域１０６を含み、ページプロセッサ４０は断片分析器１０８と文字縮小器１１０、グラフィックス縮小器１１２とページ再組立器１１４を含めて図示してある。断片分析器１０８は入力ページ１００からページ１００の別の部分のマップ１１６を作成し、この例では１つの文字領域と１つのグラフィックス領域だけがここに含まれている。当然のことながら、典型的な文書はもっと複雑なページ構成でさらに多様な領域を含んでいる。」
「【００４０】
　各々の領域が縮小されたら、これらをページ再組立器１１４で組み立ててアイコン１０２を形成する。」
「【００５１】
　例示ページを選択したら、例示ページを断片化して例示ページのマップ又はレイアウトを形成する（Ｓ４）。これらの断片の各々を領域の画像形式に特定の縮小処理に従って縮小し（Ｓ５）、縮小した領域を再組み立てしてアイコンの電子的表現とする（Ｓ６）。アイコンＩＤを用いるなら電子的表現に付与する（Ｓ７）。電子化したアイコンをアイコン用案内ページに関連する他の電子化アイコンに追加し（Ｓ８）、アイコンのある案内ページを必要に応じて印刷する（Ｓ９）。案内ページは典型的には各々のアイコン作成後に印刷しないが、文書エントリー処理が完了した又は案内ページが一杯になった時点で印刷する。」
　
　上記の記載から、段落００３２，００３８における「ページプロセッサ４０」及び、段落００３８，００４０における「ページ再組立器１１４」は、例示ページを処理した「アイコン４２」を生成するものであり、段落００３２，００３３における「アイコンシリアライザ４６」は、アイコン識別子を添付した「アイコン３４」を生成するものであるといえる。
　
（２）補正後の請求項１について
　補正後の請求項１の記載における「キーワード」は、「前記文書データベースに格納された文書を分析して、前記文書を識別する特徴となるキーワードを前記文書から抽出する手段」との記載、及び、アイコンシリアライザで生成される「アイコン識別子」に関すると解される記載がないことから、上記（１）（ア）で検討した当初明細書等における２種類の「キーワード」のうち、文書から抽出される「冗長記述子」と解される。
　してみると、補正後の請求項１における「前記縮小された各々の領域を前記レイアウトに基づいて再組み立てして、前記キーワードを含む例示ページのアイコンを生成する手段」は、「冗長記述子」を含む例示ページのアイコンを生成する手段であると解するほかない。
　しかし、「前記キーワードを含む例示ページのアイコンを生成する」点について、当初明細書等には、上記（イ）で検討したとおり、「キーワード」として「アイコン識別子」を添付した「アイコン３４」を生成することが記載されているのみであり、「キーワード」として「冗長記述子」を「例示ページのアイコン」に含めることは、当初明細書等には記載されていない。
　また、「キーワード」として「冗長記述子」を用いた場合の目的文書の取り出しに関する段落００３４〜００３６には、「動作において、ユーザ要求は分析エンジン５２へ供給される。ユーザ要求がアイコンの形状にある場合、分析エンジン５２はアイコン１４の内容から情報を抽出する。」（段落００３５）、「検索エンジン５４は抽出した特徴を用いて目的文書２０を検索するためのキーワードを生成する。ハルはハッシングした文書の冗長記述子の格納を教示しているが、この場合、これはキーワードの役割を果す。」（段落００３６）と記載されており、「ユーザ要求」が「アイコンの形状」である場合は、「検索エンジン」が「抽出した特徴」から「キーワードを生成する」ように記載されており、「キーワード」そのものがアイコンに含まれるようには記載されておらず、「キーワード」として「冗長記述子」そのものを「例示ページのアイコン」に含めることが示唆されているともいえない。
　
　なお、審判請求人は、審判請求の理由の「（３．２）補正の根拠の明示」で、
「．．．例示ページのアイコンにはキーワードを含むことを明確にしたものである。これらを追加したのは、本願発明の構成により、例示ページのアイコンと文書とをキーワードによって間接的に関連付けることを明確にするために、特許請求の範囲を減縮したものであり、明細書段落［００３２］〜［００３６］の記載からその根拠は明確である。」
と述べ、例示ページのアイコンにはキーワードを含むこと、及び、その根拠が段落００３２〜００３６であることを主張しているが、上記のとおり、文書を分析して抽出したキーワードをアイコンに含めることは記載も示唆もない。
　
（３）むすび
　よって、本件補正は、願書に最初に添付された明細書及び図面に記載された事項の範囲内でなされたものではないので、特許法第１７条の２第３項の規定に適合しないものであり、特許法第１５９条第１項において準用する同法第５３条項の規定により、却下すべきものである。
　
　
第３．本願発明について
１．本願発明
　上記のとおり、平成１８年２月１３日付け手続補正は却下されたので、本願の請求項１に係る発明（以下、「本願発明」という。）は、平成１７年１０月１７日付けで補正された特許請求の範囲の請求項１に記載された以下のとおりのものである。
「【請求項１】
文書サーバにおけるアイコン生成方法において、
　前記文書サーバにデジタル表現の文書を入力する工程と、
　前記入力された文書の所定のページを例示ページとして保持する工程と、
　前記例示ページを領域に分割し、かつ前記例示ページのレイアウトを形成する工程と、
　前記分割された各々の領域を所定の縮小規則に基づいて縮小する工程と、
　前記縮小された各々の領域を前記レイアウトに基づいて再組み立てして、前記例示ページのアイコンを生成する工程と、を備えていることを特徴とするアイコン生成方法。」
　
２．引用発明及び周知事項
（１）引用発明
　原査定の拒絶理由で引用した、特開平５−８０９６７号公報（以下、「引用例」という。）には、以下の記載がある。
　
（あ）「【０００５】また、Ｒｏｏｍｓなどの作業環境技術おいては、仮想平面にアイコンとして情報を割当てることができる。そして、各情報の詳細な内容を表すウィンドウを表示する機能と、仮想平面全体の中での情報の配置を表示する機能（いわゆるオーバービュー）とが提供されている。」
　
（い）「【０００１】
【産業上の利用分野】本発明は、情報をノードとして記述し、その上で情報を整理し把握したり、編集したりするための情報把握／編集装置に関する。」
　
（う）「【００１３】
【課題を解決するための手段】本発明の第１の発明（請求項１）の情報把握装置は、図１に示すように、ユーザーが情報を記述し把握するための仮想平面を生成し管理するための仮想平面情報管理手段（１）と、仮想平面を表示する際の規則を保存する規則保存手段（２）と、仮想平面の表示を行うための表示手段（３）と、仮想平面を表示する倍率を入力する倍率入力手段（４）と、全体を流れる情報を処理し制御するための中央制御手段（７）とを有し、仮想平面上に自由にノードを配置し、それらを任意の倍率で表示できるものである。」
　
（え）「【００１８】
【作用】第１の発明においては、仮想平面情報管理手段（１）は、規則保存手段（２）に保存された表示規則に従って種々の表示形態で、ユーザの入力した情報を仮想平面上に配置、表示するための仮想平面情報を生成、管理する。具体的には、後述する実施例によれば、仮想平面上に配置された各ノードの情報は、位置情報と内容情報とに分割され、それぞれ仮想平面情報管理手段（１）に設けた仮想平面位置情報保存部１ｄと内容情報保存部１ａとに保存される。また、仮想平面情報管理手段（１）には、仮想平面情報を生成するために仮想平面情報生成部１ｆが設けられており、この仮想平面情報生成部１ｆが表示規則保存部２ａに保存された表示規則に基づいて各ノードの情報の表現を変更したのち、縮小表示情報保存部（１）１ｂに保存する。さらにこの縮小表示情報保存部（１）１ｂの情報をもとに縮小表示情報保存部（２）１ｂに保存される情報を作成する。以下同様に、縮小表示情報保存部（Ｎ）１ｂまで順に処理し保存する。
【００１９】ユーザが仮想倍率入力手段（４）から任意の倍率を入力すると、中央制御手段（７）はその情報を仮想平面情報管理手段（１）に送る。仮想平面情報管理手段（１）は、規則保存手段（２）に保存された仮想平面の表示規則に従って前述のように生成され保存されている仮想平面情報（種々の縮小情報）から前記倍率に対応する仮想平面情報を取り出し、中央制御手段（７）を介して、表示手段（３）に送り、表示手段（３）はこれを表示する。具体的には、後述する実施例によれば、前記入力された倍率は仮想平面情報管理手段（１）内の仮想平面情報検索部１ｅに送られる。仮想平面情報検索部１ｅは表示範囲情報から仮想平面位置情報保存部１ｄを検索し、表示するべきノードの情報を得る。次に倍率情報から情報保存部のレベルを決定し、決定されたレベルに保存されている目的のノード情報の表示内容を得、それを中央制御部（７）に返す。中央制御手段（７）はその情報を表示部内の表示生成部３ｂに送り表示生成部３ｂはその情報をグラフィックスとして構成し表示装置３ａに表示する。」
　
（お）「【００２７】実際のノードデータを入力し、縮小表示のための情報が作成される過程を図６のフローチャートに従って説明する。ここでは既に後述する編集処理部５によって提供される編集処理によって、各ノードのデータが、位置情報が仮想平面位置情報保存部１ｄに、内容情報が内容情報保存部１ａに分割されて保存されているものとする。仮想平面情報生成部１ｆは内容情報保存部１ａに存在する未処理のノード（縮小表示情報が存在していないノード）を検索する（ステップＳ６ａ）。その中からあるノードを選択して、縮小対象としてセットする（ステップＳ６ｂ）。カウンタＸを０にセットする（ステップＳ６ｃ）。表示規則保存部２ａから関係する規則（図３参照）を検索する（ステップＳ６ｄ）。
【００２８】図３の表示規則の例では、表示するノードの大きさ毎に、文字、図形および表をどのように表示するかを定めている。即ち、表示するノードの大きさは、「〜標準」、「標準〜１／２」、「１／２〜１／３」、「１／３〜１／４」、「１／４〜１／１０」、「１／１０〜１／２０」および「１／２０〜」の７つの表示レベルに分類し、各レベル毎に、「文字」、「図形」および「表」をどのように表示するかを定めている。例えば、ノードの大きさが標準またはそれより大きいというレベルのものに対しては、文字は複数のフォントがあればその複数フォントをすべて使って表示し、修飾があれば文字の修飾を施し、図形は全ての属性を表示し、表も全ての内容を表示する。ノードの大きさを標準より小さく１／２以上の倍率の範囲で表示するというレベルのものに対しては、文字あるいは表に用いるフォントは一つだけ用い、文字装飾は用いないようにする。このように図３の表示規則は、表示の縮小の度合が大きくなるに連れて、文字、図形おび表の表示を簡略化して表示するような規則となっており、下位の表示レベルになると、１／１０〜１／２０倍率の表示レベルのときは、文字、図形および表のいずれもその存在のみを表示し、それ以下の倍率では何も表示しないという表示規則になっている。
【００２９】そして、このような表示規則に従ってノードの内容を構成する要素の表示情報を変換する（例えば「〜標準」→「標準〜１／２」では、「文字修飾のある様々なフォント」→「単一のフォント」へ変換が行われる）。変換結果を縮小表示情報保存部（Ｘ）１ｂへ保存する（ステップＳ６ｅ）。もし、縮小表示保存部（Ｎ）まで変換が終了していない場合には（ステップＳ６ｆ）、次の縮小対象として、先程変換し保存した縮小表示保存部（Ｘ）のノード表示情報をセットする（ステップＳ６ｇ）。そして、Ｘをインクリメントし（ステップＳ６ｈ）、ステップＳ６ｄより繰り返す。この処理を残りのノードに対して繰り返し、未処理のノードが無くなった場合に処理を終了する（ステップＳ６ｉ）。このようにして処理された場合のノードの表示の変化を図７ａ〜図７ｇに示す。
【００３０】次に表示のための動作を図８のフローチャートに従って説明する。ユーザーは図１の仮想倍率入力装置４ｂから表示倍率と表示範囲を入力する。仮想倍率処理部４ａはこの情報を中央制御部７へ送る（ステップＳ８ａ）。情報を受けっとった中央制御部７は仮想平面情報検索部１ｅへ、この情報を転送する。仮想平面情報検索部１ｅは、表示範囲の情報から仮想平面位置情報保存部１ｄを検索し、表示範囲にあるノードを取り出す。次に仮想平面情報検索部１ｄは、内容情報保存部１ａと縮小表示情報保存部１ｂの中から表示倍率に適合するものを選択し、該当するノードの全ての縮小表示データを中央制御部へ返送する（ステップＳ８ｂ）。中央制御部７はこれを表示生成部３ｂへと転送する。表示生成部３ｂは受けとったノードの全ての縮小表示データを合成し、ユーザーによって指定された大きさにして表示装置３ａに表示する（ステップＳ８ｃ）。以降、ユーザーから終了要求があるまで、この処理を繰り返す（ステップＳ８ｄ）。この処理により、ユーザーには図９ａ〜図９ｂに示されるようなウィンドウが提示される。ユーザーは自由な倍率でこれらを見ることができる。」
　
　引用例の記載（あ）は「従来の技術」についての記載であり、該記載によれば、仮想平面にアイコンとして情報を割り当てることが従来の技術として記載されていると認められる。
　引用例の記載（い）によれば、引用例に記載された発明は、情報をノードとして記述し、その上で情報を整理し把握したり、編集したりするための情報把握／編集装置であることが認められる。
　引用例の記載（う）によれば、引用例に記載された第１の発明は、仮想平面を表示する際の規則を保存する規則保存手段（２）と、仮想平面の表示を行うための表示手段（３）と、仮想平面を表示する倍率を入力する倍率入力手段（４）等を有し、仮想平面上に自由にノードを配置し、それらを任意の倍率で表示できるものである事が認められる。
　引用例の記載（え）によれば、引用例に記載された第１の発明は、仮想平面情報生成部１ｆが表示規則保存部２ａに保存された表示規則に基づいて各ノードの情報の表現を変更したのち、縮小表示情報保存部（１）１ｂに保存し、さらにこの縮小表示情報保存部（１）１ｂの情報をもとに縮小表示情報保存部（２）１ｂに保存される情報を作成し、以下同様に、縮小表示情報保存部（Ｎ）１ｂまで順に処理し保存するものであると認められる。
　引用例の記載（お）によれば、各ノードデータが編集処理によって入力され、保存されること、及び、縮小表示のための情報を作成する際の表示規則として、表示するノードの大きさ毎に、文字、図形および表をどのように表示するかを定めていることが記載されていると認められる。
　また、引用例の記載（お）が参照する図７ａ乃至図７ｇには、縮小表示生成の例として、文字、図、及び表を含む情報の表示の例が等倍表示から１／２０〜の範囲の縮小表示まで記載されていると認められる。
　
　上記（あ）〜（お）及び図面の記載から、引用例には、以下の発明（以下、「引用発明」という。）が記載されているといえる。
「情報をノードとして記述し、その上で情報を整理し把握したり、編集したりするための情報把握／編集装置であって、
表示するノードの大きさ毎に、文字、図形および表をどのように表示するかを定め表示規則保存部に保存し、
表示規則に基づいて各ノードの情報の表現を変更した縮小表現を作成することで、
仮想平面上に自由にノードを配置し、それらを任意の倍率で表示できる、
情報把握／編集装置。」
　
（２）周知技術
　原査定で周知技術として引用した特開平５−３７７４８号公報（以下、「周知例」という。）には、以下の記載がある。
「【００３５】なお、以上の実施例においては、画像の検索時に、検索用の読み取り原稿画像データと光磁気ディスクの画像ファイルデータとを全体で比較する構成について説明したが、検索用の読み取り原稿画像データとして、例えば表示ページのみを読み取り、これを光磁気ディスクの各画像ファイルの１枚目のデータと比較して検索を行うようにしても良い。
【００３６】これは、上記Ｓ５０において各ファイルの１枚目の画像データのみを読み出すことにより実施でき、その他の動作は上記実施例と同様である。このように、１ページ目だけで検索することにより、処理の迅速化を達成できる。また、各ビットマップメモリ１０８、１１０の容量を小さくできるのでコスト的にも有利である。」
　なお、段落００３５の「例えば表示ページのみ．．．」との記載は、段落００３６の「１枚目の画像データのみを読み出すことで」及び「１ページ目だけで検索することにより」との記載、及び、１ページ目が表紙であることは一般的であることから、「例えば表紙ページのみ．．．」の誤記であると解される。
　
３．対比
　引用発明と本願発明とを対比する。
　引用発明における「ノード」は、コンピュータ上で表示される「文字、図形及び表」を含む情報であるから、一般に「文書」であるといえ、コンピュータで扱われることから、デジタル表現されていることは自明である。したがって、引用発明における「ノード」は、本願発明における「デジタル表現の文書」に相当する。
　引用発明における、「情報把握／編集装置」は、「文書を扱うコンピュータ」である点で、本願発明における「文書サーバ」と共通する。
　引用発明における「情報をノードとして記述」することは、ユーザによる編集処理によって情報が入力されることであるから、「デジタル表現の文書を入力する」ことに相当する。
　引用発明における、表示規則が定められる「文字、図形および表」は、それぞれ縮小表現の作成の対象となる領域であり、本願発明における「領域」に相当する
　引用発明における、「表示規則」は、縮小表示のための情報を作成する際に、表示するノードの大きさ毎に、文字、図形および表をどのように表示するかを定めたものであり、その内容にしたがって縮小表現を作成するものであるから、本願発明における「所定の縮小規則」に相当する。
　本願発明における「アイコン」は、その具体的な定義が本願の明細書等においてなされてはいないが、請求項及び明細書の記載から、文書を縮小して表現したものといえる。してみれば、引用発明における「縮小表現」は、「文書の縮小表現」である点で、本願発明における「アイコン」に相当する。
　また、引用例の図７ａ〜図７ｇの記載から、引用発明における「文字、図形及び表」を含むノードに対する縮小表現の生成が、「文字」、「図形」、「表」のそれぞれの領域に対して行われていることは明らかである。
　
　してみると、引用発明と本願発明とは、
「文書を扱うコンピュータにおいて
　デジタル表現の文書を入力する工程と、
　入力されたデジタル表現の文書の各々の領域を所定の縮小規則に基づいて縮小する工程と、
を備えていることを特徴とするアイコン生成方法」
である点で一致し、以下の点でそれぞれ相違する。
　
（相違点１）本願発明は、「文書サーバ」におけるアイコン生成方法であるのに対して、引用発明はそのようになっていない点
（相違点２）本願発明は、「入力された文書の所定のページを例示ページとして保持する工程」を有するのに対して、引用発明はそのようになっていない点
（相違点３）本願発明は、「前記例示ページを領域に分割し、かつ前記例示ページのレイアウトを形成する工程」を有するのに対して、引用発明はそのようになっていない点
（相違点４）本願発明は、アイコンを生成する際に「前記縮小された各々の領域を前記レイアウトに基づいて再組み立て」するのに対して、引用発明はそのようになっていない点
　
４．判断
　上記相違点について判断する。
　
（１）相違点１について
　文書を扱うコンピュータとして、文書のデータベースを維持する「文書サーバ」は周知の手段であり、引用発明を文書サーバに適用することに格別の技術的困難性はなく、当業者が容易になし得たことである。
　
（２）相違点２について
　デジタル表現された文書として、複数のページを有する文書は一般的であり、複数のページを有する文書について、その中の所定のページによって該文書を代表させることは、例えば上記第３．２（２）の原査定で引用した周知例や、本願明細書の段落０００５で従来技術として挙げられているG. Storyの「検索・閲覧のための画像を用いたRight Pages 電子化ライブラリ」、ＣＯＭＰＵＴＥＲ誌、１９９２年９月号に記載されているように周知の事項である。したがって、引用発明にこれらの周知の事項を適用し、複数のページを有する文書の所定のページの縮小表現を生成するように構成する事は、当業者が容易になし得たことである。
 
（３）相違点３及び４について
　引用発明において、「文字、図形及び表」を含むノードに対する縮小表現の生成が、「文字」、「図形」、「表」のそれぞれの領域に対して行われるから、いずれかの時点でノードを領域に分割していることは明らかである。
　また、図７ａ〜図７ｇの一連の縮小表現の例において、レイアウト情報が維持されるように縮小表現が生成されていることは明らかである。
　そして、ページを領域に分割しレイアウト情報を抽出することは、本願の段落００４０で「ページ断片化の１つの一般的な方法は、カレン(J.F.Cullen)とエジリ(K.Ejiri)による「文書画像処理における弱いモデルに依存したページ断片化とゆがみ補正」、第２回文書分析認識に関する国際会議抄録、７５７〜６０（１９９３年）（Weak Model-Dependent Page Segmentation and Skew Correction for Processing Document Images,Proc. of the2nd Int'l.conf.on Doc.Anal.and Recog.,757-60(1993)）に示されている。」と記載されているように周知の技術である。
　してみれば、引用発明において、ノードを領域に分割し、レイアウトを形成すること、及び、また、縮小した各領域を該レイアウトに基づいて再組み立てして縮小表現を生成するように構成することは、当業者が容易になし得たことである。
　また、本願発明の効果は引用例及び周知事項から当業者が予想可能な範囲内のものであり、格別のものではない。
　
５．むすび
　以上のとおり、本願の請求項１に係る発明は、引用例に記載された発明及び周知の事項に基づいて、当業者が容易に発明をすることができたものであるから、特許法２９条２項の規定により特許を受けることができない。　 
　したがって、他の請求項について検討するまでもなく、本願は拒絶されるべきものである。
 よって、結論のとおり審決する。